(57)【特許請求の範囲】
【請求項１】
少なくともスピーカユニットと、このスピーカユニットの前面に結合された前面に第１の開口を有するとともに一側面に第２の開口を有する音響管と、この第２の開口を密閉する他の装置の隣接部材と密接する嵌合面部とで構成されたスピーカ装置であって、上記音響管内に上記音響管の第２の開口側の音路に通じる孔を設け、この孔を有する面の対向面を第３の開口とし、この第３の開口を第２の他の装置の隣接部材と密接して密閉される吸音ブロックを設けたスピーカ装置。
【請求項２】
音響管に通じる孔を不織布テープでカバーした請求項１に記載のスピーカ装置。
【請求項３】
第１の開口をテレビジョンキャビネットの前面側に臨ませるとともに側面の開口を密閉する隣接部材を陰極線管またはテレビジョンキャビネットとした請求項１または請求項２のいずれか１つに記載のスピーカ装置を用いたテレビジョン受像機。
【発明の詳細な説明】
【０００１】
【発明の属する技術分野】
本発明は映像用機器や自動車、情報、通信などの各種音響機器に利用されるスピーカ装置およびこれを用いたテレビジョン受像機に関するものである。
【０００２】
【従来の技術】
スピーカユニットの前面にホーンや音響管を結合し、スピーカユニットから発生した音波を上記音響管の開口部まで導く方法は、ホーンや音響管を用いない場合に比べて出力音圧が大きく得られることや、特定の方向に音が伝えられるなどの利点があり、従来から多く用いられている。
【０００３】
従来のスピーカ装置について図７、図８により説明する。
【０００４】
図７は従来のスピーカ装置の分解斜視図であり、図８は同スピーカ装置を内蔵したテレビジョン受像機の構造断面図である。
【０００５】
まず、テレビジョン受像機におけるスピーカについて説明すると、１はスピーカユニット、２は樹脂成形により形成された音響管、６は音響管２の第１の開口部、１２はテレビキャビネット、１３は陰極線管、１４はバックキャビネット、ａは音響管開口寸法、ｂはテレビキャビネット幅寸法である。
【０００６】
以上のように構成されたスピーカ装置を内蔵したテレビジョン受像機について以下その動作について説明する。
【０００７】
スピーカユニット１から放出された音波がその前面に配置された細長く略矩形形状に構成された第１の開口部６を有する音響管２を通じて外方に放音される。この音響管２はその構造をテレビジョン受像機の内部のテレビキャビネット１２と陰極線管１３に沿った構造としたことによって、狭い音響管２の開口部６から音波を前面に導き出し放出することにより、テレビジョン受像機の前面に音波を放出するものであり、特に音響管開口寸法ａを小さく抑えることにより、テレビキャビネット幅寸法ｂも小さく抑えることができ、テレビジョン受像機の小型化とスリム化に寄与するものである。
【０００８】
次にスピーカユニット１と音響管２からなる上記スピーカ装置の詳細について説明すると、１は音波を発生させるスピーカユニットであり、２はスピーカユニット１から発生する音波を導く音響管であり、３は音響管２の内部に構成された吸音室である。
【０００９】
４は音響管２の内部の音波が通る音路であり、５は音響管２の内部で発生する定在波をコントロールするレゾネータ孔で、６は音波を放出する音響管２の第１の開口部である。７は音響管２とスピーカユニット１を結合し固定するスピーカユニット取り付けビスであり、８は上記吸音室３内に装着される吸音材であり、９は上記吸音室３を塞ぐ吸音室カバーで、１０は吸音室カバー９を固定する吸音室カバー取り付けビスであり、１１は音響管２と吸音室カバー９とを密閉固着する接着剤であり、ａは音響管２の音響管開口寸法である。
【００１０】
以上のように構成された従来のスピーカ装置について以下にその動作を説明する。まず、スピーカユニット１に電気信号が加えられると音波が発生し、その音波がスピーカユニット１の前面に結合された音響管２の音路４に導かれ前面の音響管の開口部６から放出される。この音波の量は音響管開口寸法ａの大きさである程度決められている。
【００１１】
そして、音響管２の長さで発生する定在波により発生した音波が共振し歪められ、また音響管２の開口部６で音響インピーダンスが大きく変化し、一部が音響管２の内部に反射して定在波を増長させるため、ピークディップの激しい乱れた音圧周波数特性となるが、音響管２の内部に設けられたレゾネータ孔５と吸音室３の内部に設けられた吸音材８によって音響管２の内部で発生する定在波を吸収して平坦な音圧周波数特性を作り出すようにしている。
【００１２】
なお、吸音室３の吸音材８による吸音効果を維持するために吸音室カバー９を吸音室カバー取り付けビス１０にて固定し、吸音室カバー９の周りに塗布した接着剤１１にて密閉している。
【００１３】
以上のようにして、細長く略矩形形状に構成された音響管２の音響管開口寸法ａを小さくしたスピーカ装置においても自然な音響再生を可能とし、テレビジョン受像機のキャビネット幅寸法ｂをも小さく維持することができるものであった。
【００１４】
【発明が解決しようとする課題】
しかしながら上記の従来の構成では、限られたスペースやテレビジョン受像機の中で自然な音響再生をするために音波を導く音響管２の大きさを大きくすることにも限界があり、また、音波を導くために構成した音響管２と吸音室カバー９は樹脂材料などで形成しているため、強度確保にはある程度の厚みが必要となり、また、テレビキャビネット１２のキャビネット幅寸法ｂの制約があるため結果として音響管開口寸法ａを絞ってしまい、音路の容積や吸音室３の容積を犠牲にしてその構成を成り立たせることとなり、実質的に音路４や吸音室３の容積の設計自由度を奪うため音響管２の内部の定在波を十分除去することができず、音質劣化を完全に抑制・防止することは困難なものとなっていた。
【００１５】
本発明は上記従来の課題を解決するもので、限られたスペースの中でも高い出力音圧レベルが得られると共に、より自然な音響再生と平坦でフラットな音圧周波数特性が実現できる優れたスピーカ装置およびこれを用いたテレビジョン受像機を提供することを目的とするものである。
【００１６】
【課題を解決するための手段】
上記課題を解決するために本発明のスピーカ装置は、少なくともスピーカユニットと、このスピーカユニットの前面に結合された前面に第１の開口を有するとともに一側面に第２の開口を有する音響管と、この第２の開口を密閉する他の装置の隣接部材と密接する嵌合面部とで構成し、側面の第２の開口を嵌合面部を他の装置の隣接部材で密接することにより、この隣接部材を用いて音響管の音路を形成し、音路の容積の設計自由度を限られたスペースの中で拡大し、高い出力音圧レベルやより自然な音響再生と平坦でフラットな音圧周波数特性が実現できる優れたスピーカ装置の提供を可能とするとともに、上記音響管内に上記音響管の第２の開口側の音路に通じる孔を設け、この孔を有する面の対向面を第３の開口とし、上記第３の開口を第２の他の装置の隣接部材と密接して密閉されるものとした吸音ブロックを設けたものであり、カバーを削除し組み立て工数をも削減できる高い音圧レベルと低価格を両立した優れたスピーカ装置の提供を可能とするものである。
【００１７】
【発明の実施の形態】
本発明のスピーカ装置の請求項１に記載のものは、少なくともスピーカユニットと、このスピーカユニットの前面に結合された前面に第１の開口を有するとともに一側面に第２の開口を有する音響管と、この第２の開口を密閉する他の装置の隣接部材と密接する嵌合面部とで構成し、側面の第２の開口を他の装置の隣接部材を用いて塞いで音響管の音路を形成したものであり、本来の音響管に必要な壁面の厚みの一部のない状態で音響管の設計ができるので、音路の容積の設計自由度が限られたスペースの中で拡大し、より高い出力音圧レベルやより自然な音響再生と平坦でフラットな音圧周波数特性が実現できるものであり、更に、上記音響管内に上記音響管の第２の開口側の音路に通じる孔を設け、この孔を有する面の対向面を第３の開口とし、上記第３の開口を第２の他の装置の隣接部材と密接して密閉されるものとした吸音ブロックを設けたものであり、カバーを削除し組み立て工数をも削減できる高い音圧レベルと低価格を両立した優れたスピーカ装置の提供を可能とするものである。
【００２１】
本発明の請求項２に記載のものは、請求項１に記載の音響管に通じる孔を不織布テープでカバーしたものであり、平坦でフラットな音圧周波数特性が実現できるとともに、吸音材をも使用した場合はより優れた音圧周波数特性のスピーカ装置が提供できるものである。
【００２２】
本発明の請求項３に記載のものは、請求項１または請求項２のいずれか１つに記載のスピーカ装置の第１の開口をテレビジョンキャビネットの前面側に臨ませるとともに、側面の開口を密閉する隣接部材を陰極線管またはテレビジョンキャビネットで構成したものであり、優れた音響特性を有するテレビジョン受像機の提供を可能としたものである。
【００２３】
以下に本発明のスピーカ装置の一実施の形態について図１〜図５により説明する。なお、説明にあたっては従来技術と同一部分には同一品番を付与し、説明を省略して説明する。
【００２４】
（実施の形態１）
図１は本発明の一実施の形態のスピーカ装置の分解斜視図であり、図２は同スピーカ装置を内蔵したテレビジョン受像機の構造断面図であり、図３は同音圧周波数特性図と第２高調波歪特性図である。
【００２５】
本発明と従来技術との相違点のみ同図により説明すると、１５は吸音室であり、１６は音響管２の第１の開口であり、１７は音響管の嵌合面部であり、１８はこの嵌合面部１７に貼り付けられた第１の緩衝部材であり、１９はスピーカユニット１の取付け部付近に設けた第２の緩衝部材であり、Ｃは音響管開口寸法を示している。
【００２６】
本実施の形態においては、スピーカユニット１の前面に結合された音響管２およびこの音響管２の一部で構成する吸音室１５の従来の吸音室カバー９に相当する部分の壁面を第２の開口２ｂとし、この第２の開口２ｂの端面外周にこの端面より幅広の嵌合面部１７を形成したものである。
【００２７】
２０はこの嵌合面部１７と第１の緩衝部材１８を介して密接されたキャビネット嵌合部であり、音響管２の片側をテレビキャビネット１２で接着結合して覆うことで、音響管２の音路４および吸音室１５の容積を拡大して形成し、音圧レベルの向上を図るものである。
【００２８】
図３は従来のスピーカ装置と本実施の形態のスピーカ装置の音圧周波数特性と第２高調波歪特性を示すものであるが、本実施の形態のスピーカ装置の音圧周波数特性２６は、全帯域にわたって従来のスピーカ装置の音圧周波数特性２７と比べ高い音圧周波数特性を示していることが、また、音圧周波数特性の低音域においても伸びのある低域を再生することが、更に中音域の音圧周波数特性においてもピークディップの少ない平坦な音圧周波数特性を実現していることが確認された。
【００２９】
更に従来のものの第２高調波歪２９に比べて、本実施の形態のものの２８は低歪化を実現して高いリニアリティが得られることが確認できた。
【００３０】
なお、上記実施の形態における第１、第２の緩衝材１８，１９は密閉度の向上と振動の伝播を抑制するものであり、特性的に必要のない場合は音響管２とテレビキャビネット１２を直接接着剤で接合しても良いものである。
【００３１】
また、第２の開口２ｂの端面外周に設けた幅広の嵌合面部１７は、キャビネット嵌合部２０との密接・密閉時の接着強度の保持のために幅広としたものであるが、特に接着強度を必要としない部分は音響管２の端部をそのまま用いても良いものである。
【００３２】
（実施の形態２）
本発明のスピーカ装置の他の実施の形態を図４により説明する。
【００３３】
図４はスピーカ装置の分解斜視図である。実施の形態１と本実施の形態との相違点のみ同図により説明すると、２１はスピーカユニット挿入ガイドレールであり、音響管２のスピーカユニット１側の取付け面にスピーカユニット挿入ガイドレール２１を形成したものであり、挿入方向をテレビキャビネット１２側としてテレビキャビネット１２にスピーカ装置を装着した時にスピーカユニット１が固定できるようにしたものである。スピーカユニット１の組み込みを容易にすると共にスピーカユニット取付けビスを廃止することができるため、低コストで組み立て性の向上を図った優れたスピーカ装置の提供を可能とするものである。
【００３４】
（実施の形態３）
本発明のスピーカ装置の他の実施の形態を図５により説明する。
【００３５】
図５は分解斜視図であり、実施の形態１と本実施の形態との相違点のみ同図により説明すると、２２は音響管２と一体または別体のものを音響管２に装着した吸音ブロックであり、２３はこの吸音ブロック２２に設けられた孔であり、音響管２の内部に吸音ブロック２２を２つ以上設け、この吸音ブロック２２は一方が開放された構造として、陰極線管１３側を開けて第３の開口（図示せず）を設けた構造にし、更にこの吸音ブロック２２に吸音材８を陰極線管１３側から挿入し、この吸音ブロック２２と音響管２間に上述のごとく孔２３を設けたことにより、実施の形態１の第２の開口２ｂに加えて反対側の第３の開口をもテレビキャビネット１２と陰極線管１３で挟み込んで密接して音響管２を形成できるため、実質的な音路４のより拡大を図りつつ各部品の点数も減らして組み立て工数をも削減でき、高音圧レベルと低価格を両立した優れたスピーカ装置の提供を可能とするものである。
【００３６】
（実施の形態４）
本発明のスピーカ装置の他の実施の形態を図６により説明する。
【００３７】
図６は分解斜視図である。実施の形態１と本実施の形態との相違点のみ同図により説明すると、２３は吸音ブロック２２に設けた孔であり、２４は不織布テープであり、孔２３を開け上面を不織布テープ２４でカバーすることにより、音響管２内に吸音ブロック２２と小孔２３と不織布テープ２４でレゾネータ構造を形成でき、従来は密閉していた吸音室３の構造を簡素化することができると共に吸音材８を使用しなくても平坦でフラットな音圧周波数特性が実現できる優れたスピーカ装置の提供を可能とするものである。
【００３８】
なお、上記各実施の形態においては、スピーカユニット１の後面に構造体やボックスもしくはキャビネットなどを設けた場合においても同様の効果が得られるものである。
【００３９】
また、上記各実施の形態における吸音室１５や吸音材８や吸音室孔２３や吸音ブロック２２や孔２３などの構造体は、特性の用途や目的に応じて組み合わせ方を変えても同様の効果が得られるものである。
【００４０】
【発明の効果】
以上のように本発明は構成して、他の装置の隣接部材でスピーカ装置の開口を密接することにより、この隣接部材を用いて音響管の音路を形成し、音路や吸音室の容積の設計自由度を限られたスペースの中で拡大し、高い出力音圧レベルやより自然な音響再生と平坦でフラットな音圧周波数特性が実現できる優れたスピーカ装置の提供を可能とするものであるとともに、実質的な音路のより拡大を図りつつ各部品の点数も減らして組み立て工数をも削減でき、高音圧レベルと低価格を両立した優れたスピーカ装置の提供を可能とするものである。
【図面の簡単な説明】
【図１】本発明のスピーカ装置の一実施の形態の分解斜視図
【図２】同スピーカ装置を内蔵したテレビジョン受像機の構造断面図
【図３】同音圧周波数特性図と第２高調波歪特性図
【図４】同他の実施の形態のスピーカ装置の分解斜視図
【図５】同他の実施の形態のスピーカ装置の分解斜視図
【図６】同他の実施の形態のスピーカ装置の分解斜視図
【図７】従来のスピーカ装置の分解斜視図
【図８】同スピーカ装置を内蔵したテレビジョン受像機の構造断面図
【符号の説明】
１  スピーカユニット
２  音響管
２ｂ  第２の開口
１２  テレビジョンキャビネット
１３  陰極線管
１５  吸音室
１６  第１の開口
１７  嵌合面部
２０  キャビネット嵌合部
２１  スピーカユニット挿入ガイドレール
２２  吸音ブロック
２３  孔
２４  不織布テープ
【図１】
0003997649.tif 000002
【図２】
0003997649.tif 000003
【図３】
0003997649.tif 000004
【図４】
0003997649.tif 000005
【図５】
0003997649.tif 000006
【図６】
0003997649.tif 000007
【図７】
0003997649.tif 000008
【図８】
0003997649.tif 000009